(57)【要約】      （修正有）【課題】ＬＥＤ灯付き杖の構造を提供する。  【解決手段】ＬＥＤ灯付き杖は、杖本体１０、把持部、底脚部、連結収納部、ＬＥＤ発光ユニット２０、反射装置２２よりなる。該杖本体は、高透光性ガラス繊維内管１１と該内管を囲繞する中空外管１２よりなり、該中空外管は、複数の透光部１２１Ａを備える。さらに、該ＬＥＤ発光ユニットは、電池ケースのいずれかの片側に連結し、該電池ケースは更に、該ＬＥＤ発光ユニットの点滅を制御するのスイッチに接続しており、該反射装置は、該ガラス繊維内管の内部で、しかも該ＬＥＤ発光ユニットの照射方向に対応した所に設けて該ＬＥＤ灯付き杖とする。これにより、該ＬＥＤの発光が反射装置に照射して、反射された光が該透光部を通って外部に出ることになり、照射強度と範圍が大幅に増加させることができる。【選択図】図４
0003173756.tif 000002
【実用新案登録請求の範囲】
【請求項１】
杖Ａは、
高透光性ガラス繊維内管１１に外部中空外管１２を囲繞して設けられる杖本体１０を有し、該中空外管１２には、複数の透光部１２１が設けられ、また、該杖本体１０の上部１０１と底部１０２には、上係合部１３と下係合部１４がはみ出すように設けられており、
把持部１５が設けられ、該把持部１５は、下向きに伸ばされる第一接続部１６があり、該第一接続部１６は、該杖本体１０の上部１０１にある上係合部１３と係合し、
底脚部１７が設けられ、上向きに伸ばされる第二接続部１８を有し、該第二接続部１８は、該杖本体１０の底部１０２にある下係合部１４と係合し、
該上係合部１３と第一接続部１６、または係合部１４と第二接続部１８の間に、電池ケース１９と電池１９１を配設するための連結収納部４０が設けられ、
電池ケース１９のいずれかの片側に連結するＬＥＤ発光ユニット２０を配設し、該電池ケース１９は更に、該ＬＥＤ発光ユニット２０の点滅を制御するためのスイッチ２１に接続され、
該ガラス繊維内管１１の内部で、該ＬＥＤ発光ユニット２０の照射方向に対応した所に設けられる反射装置２２が設けられ、
該ＬＥＤ発光ユニット２０が反射装置２２を照射して、反射された光が該透光部１２１を通って外部に出て、杖Ａに発光效果を持たせるように設けられていることを特徴とするＬＥＤ灯付き杖の構造。
【請求項２】
該ＬＥＤ発光ユニット２０と反射装置２２の間には、複数の横置き集光板２３が設けられ、それにより、光をより集めるように設けられていることを特徴とする請求項１に記載のＬＥＤ灯付き杖の構造。  
【請求項３】
該上係合部１３と第一接続部１６、及び該下係合部１４と第二接続部１８との間には、雄、雌ネジ相互に螺合させるように設けられていることを特徴とする請求項１に記載のＬＥＤ灯付き杖の構造。  
【請求項４】
該中空外管１２は炭素繊維管または高透光性ガラス繊維外管による二層ガラス繊維外管の管構造形態であり、そして、内層ガラス繊維外管の厚さは、外層ガラス繊維外管の厚さより大きく設けられ、それにより、構造全体の強度を高め、外層ガラス繊維外管に設計模様を設けるように設けられていることを特徴とする請求項１に記載のＬＥＤ灯付き杖の構造。
【考案の詳細な説明】
【技術分野】
【０００１】
本考案は、人体の支持具に関し、特にＬＥＤ灯付き杖の構造に関する。
【背景技術】
【０００２】
一般的に言えば、杖の使用者はたいてい、行動不便で、または歩くのに遅い年配の方や身体障害者が多いが、杖の使用者が夜道や交通量の多い暗い道などを歩いているとき、周辺が暗くて道路状況がよく分からず、車の運転手が当該使用者の動きをよく判別できず事故が発生する。また、登山者が山を登るときにも、体の負担を低減させ、安全性を高めるために、登山杖を使用することになるが、しかし、山の天気が変わりやすく、山の中を歩いている途中に、暗い所で迷い子になりやすい、そこで、杖の照明機能は非常に重要になる。    
【０００３】
従来の照明機能付きの杖構造は通常、木、プラスチック、鉄の材料などを用いたものがよく見られるが、これらの材質は不透光性で、古いタイプの発光ユニットを使用する場合が多く、照射範囲や強度も不足する。また、従来の杖は本体の内部に電子回路基板が設けられるため、構造が複雑でコストが高くなる。さらに、従来の発光ユニットは、杖本体の外部に設けられるため、液体（例えば雨）または外力の衝撃を受けて毀損しやすい等々の問題があった。
【０００４】
それゆえ、上述した従来の照明機能付き杖構造に存在した問題点について、より理想的で実用性のあるオリジナルな構造を開発するのが、ユーザの望むところで、関連業者もそれらの問題を解決するよう努力して来た。
【考案の概要】
【考案が解決しようとする課題】
【０００５】
上述した従来の杖構造の問題点を解決する杖構造を提供することにある。
【課題を解決するための手段】
【０００６】
本考案の課題を解決するための技術特徴として、杖本体、把持部、底脚部、連結収納部、ＬＥＤ発光ユニット、反射装置を備えてなり、該杖本体は、高透光性ガラス繊維内管と中空外管よりなり、該中空外管は、複数の透光部があり、また該杖本体の上部と底部には、上係合部と下係合部がはみ出すように設けられており、該把持部は、下向きに伸ばされる第一接続部があり、該第一接続部は、該杖本体の上部にある上係合部と係合しており、該底脚部は、上向きに伸ばされる第二接続部があり、該第二接続部は、該杖本体の底部にある下係合部と係合しており、連結収納部は、該上係合部と第一接続部の間、または下係合部と第二接続部の間で、電池ケースと電池の設置のために設けられており、該ＬＥＤ発光ユニットは、電池ケースのいずれかの片側に連結し、該電池ケースは更に、該ＬＥＤ発光ユニットの点滅を制御するのスイッチに接続しており、該反射装置は、該ガラス繊維外管内管の内部で、しかも該ＬＥＤ発光ユニットの照射方向に対応した所に設けられていることを特徴とする該ＬＥＤ灯付き杖の構造である。  
【考案の効果】
【０００７】
本考案による効果向上の事実は次の通り。  
本考案に掲示された“ＬＥＤ灯付き杖の構造”は、杖本体、把持部、底脚部、連結収納部、ＬＥＤ発光ユニット、反射装置を備えてなり、該杖本体は、高透光性ガラス繊維外管内管で、そして外部に中空外管が設けられる設計であり、本考案は［背景技術］の従来の技術に比べると、ＬＥＤ発光ユニットと高透光性ガラス繊維外管内管により、照射強度と範圍が大幅に増加すること、そして、電池ケースと電池だけを組み合わせて給電することになり、構造簡単で、製造コストと手順が減少可能なこと、それに、該ＬＥＤ発光ユニットと電池ケースは、杖本体の内部に設けられるため、好適な防水機能を持つということで、本考案による実用性進歩性があり、産業利用に好適な効果がある。
【０００８】
上述した実施例は、本考案を具体的に説明するために用いられるが、文の中で専門用語を用いて説明してきたが、それらを以って本考案の特許請求範囲を制限してはならず、また、当該技術分野の者は、本考案のコンセプトを理解して、その変更や改造を行って、それと同等な効果を得たとしても、その変更や改造はすべて後述した特許請求範囲に含まれるものとする。  
【図面の簡単な説明】
【０００９】
【図１】本考案の平面側面図。
【図２】本考案の連結収納部を上係合部と第一接続部の間に設けた場合の分解断面図。
【図３】本考案の連結収納部を下係合部と第二接続部の間に設けた場合の分解断面図。
【図４】本考案のＬＥＤ発光ユニットを反射装置に照射したときのイメージ。
【図５】本考案のＬＥＤ発光ユニットを、横置き集光板により、反射装置に照射したときのイメージ。
【図６】本考案の把持部の上、下表面にはそれぞれ合成皮革層とＴＰＥ層を設けた場合の実施例図。
【図７】本考案の把持部の前後端には更に発光装置を設けた場合の実施例図。
【図８】本考案の中空外管に透かし模様を設けた場合の実施例図。
【考案を実施するための形態】
【００１０】
図１〜図８に示すのは、本考案のＬＥＤ灯付き杖の構造の好適な実施例である。
【００１１】
図１〜図４に示すように、高透光性ガラス繊維内管１１と、該内管を囲繞する中空外管１２を有する杖本体１０（図４、図５のみに表示）が設けられ、該中空外管には複数の透光部１２１を設け、該透光部１２１は、通光孔１２１Ａ（図１）または透かし模様１２１Ｂ（図８）にしてもよく、また、該杖本体１０の上部１０１と底部１０２には、上係合部１３と下係合部１４がはみ出すように設けられており、
使用者が手で持つように設けられる把持部１５が備わり、該把持部１５は、下向きに伸ばされる第一接続部１６があり、該第一接続部１６は、該杖本体１０の上部１０１にある上係合部１３と螺着されるようになっており、
底脚部１７が備わり、上向きに伸ばされる第二接続部１８があり、該第二接続部１８は、該杖本体１０の底部１０２にある下係合部１４と螺着されるようになっており、
さらに図２、図３に示すように、該上係合部１３と第一接続部１６、または係合部１４と第二接続部１８の間に、電池ケース１９と電池１９１を設けるための連結収納部４０が備えられており、
電池ケース１９のいずれかの片側に連結するＬＥＤ発光ユニット２０が備わり、該電池ケース１９は更に、該ＬＥＤ発光ユニット２０の点滅を制御するためのスイッチ２１に接続しており、
該ガラス繊維内管１１の内部で、しかも該ＬＥＤ発光ユニット２０の照射方向に対応した所に設けられる反射装置２２が備えられており、
該ＬＥＤ発光ユニット２０が反射装置２２に照射して、反射された光が該透光部１２１を通って外部に出て、杖Ａに発光效果を持たせるように設けられていることを特徴とするＬＥＤ灯付き杖の構造であり、該透光部１２１の配列は、ユーザのニーズに応じて設計される（未図示）。  
【００１２】
図５に示すように、該ＬＥＤ発光ユニット２０と反射装置２２の間には、複数の横置き集光板２３が設けられ、該ＬＥＤ発光ユニット２０が光Ｌ１を照射したとき、光Ｌ１が該集光板２３を通って、より集められることになる。  
【００１３】
図２、図３に示すように、該上係合部１３と第一接続部１６、及び該下係合部１４と第二接続部１８との間には、雄、雌ネジ山を相互に螺合させるように設けられている。  
【００１４】
図６に示すように、該把持部１５の上表面１５１には合成皮革層２４、該下表面１５２はＴＰＥ層２５が設けられることにより、ユーザがそれを手にしているとき、滑り止め、耐磨耗、手触りもよいという効果があり、図７に示すように、該把持部１５の前、後端には更に発光装置３０が設けられ、該発光装置３０は、電池ケース１９に接続して、発光効果を果たすことができるが、該発光装置３０により、前、後方向けの照射範圍と明るさが高められ、安全性が向上する。
【００１５】
一つ説明を加えることであるが、該中空外管１２は炭素繊維管で、また該中空外管１２は高透光性ガラス繊維外管による二層ガラス繊維外管の管構造形態であり、内層ガラス繊維外管の厚さは、外層ガラス繊維外管の厚さより大きく設けられ、それにより、構造全体の強度を高められるが、図８に示すように、中空外管１２の表面に透かし模様１２１Ｂを設けてもよいが、透かし模様１２１Ｂ以外の表面部分は、暗色系（例えば黒色、ブラウン色）材料を用いることにより、該杖本体１０の発光時に、ユーザのニーズに一致させることができる。
【符号の説明】
【００１６】
杖                Ａ
杖本体                １０
上部                １０１
底部                １０２
ガラス繊維内管      １１
中空外管            １２
透光部              １２１，  １２１Ａ，  １２１Ｂ
上係合部            １３
下係合部            １４
把持部              １５
上表面              １５１
下表面              １５２
第一接続部          １６
底脚部              １７
第二接続部          １８
電池ケース          １９
電池                １９１
ＬＥＤ発光ユニット  ２０
スイッチ            ２１
反射装置            ２２
集光板              ２３
合成皮革層          ２４
ＴＰＥ層            ２５
発光装置            ３０
連結収納部          ４０
【図１】
0003173756.tif 000003
【図２】
0003173756.tif 000004
【図３】
0003173756.tif 000005
【図４】
0003173756.tif 000006
【図５】
0003173756.tif 000007
【図６】
0003173756.tif 000008
【図７】
0003173756.tif 000009
【図８】
0003173756.tif 000010